(57)【要約】【課題】標示手段が備わることで標記体を標示可能な手押し台車を提供する。【解決手段】積荷を載置して手動で移動するための手押し台車１であって、略矩形状の荷台２と、該荷台２の一辺に備えられ上方へ略直立に起立されたハンドル３と、少なくとも該荷台２の下面四隅に備えられるキャスター４と、から成り、該荷台２の下面に、標記体Ｈを標示するための標示手段１０が備えられて成る手段を採る。該標示手段１０は、標記体Ｈが描かれた板状体１１、あるいは、該標記体Ｈを標示可能な電光掲示板１２から構成されている。【選択図】図１
2019147448.tif 000002
【特許請求の範囲】
【請求項１】
積荷を載置して手動で移動するための手押し式の台車であって、
略矩形状の荷台と、該荷台の一辺に備えられ上方へ略直立に起立されたハンドルと、少なくとも該荷台の下面四隅に備えられるキャスターと、から成り、
該荷台の下面に、標記体を標示するための標示手段が備えられて成ることを特徴とする標示機能付き手押し台車。
【請求項２】
前記標記体は、任意の文字や図形、絵像、標識の何れか若しくはこれらの組み合せから成ることを特徴とする請求項１に記載の標示機能付き手押し台車。
【請求項３】
前記標示手段は、前記標記体が描かれた板状体から成り、前記荷台の下面に固着手段により固定的に備えられて成ることを特徴とする請求項１または請求項２に記載の標示機能付き手押し台車。
【請求項４】
前記標示手段は、前記標記体が描かれた板状体から成り、前記荷台の下面に備えられた係止手段を介して交換可能に備えられて成ることを特徴とする請求項１または請求項２に記載の標示機能付き手押し台車。
【請求項５】
前記標示手段は、前記標記体を標示可能な電光掲示板から成り、前記荷台の下面に固着手段により固定的に備えられると共に、該電光掲示板に電源を供給するための電源供給手段が備えられて成ることを特徴とする請求項１または請求項２に記載の標示機能付き手押し台車。
【請求項６】
前記電光掲示板は、モニター式電光掲示板であることを特徴とする請求項５に記載の標示機能付き手押し台車。
【発明の詳細な説明】
【技術分野】
【０００１】
本発明は、手押し式の台車に関し、詳しくは、荷台に積荷を載置して手動で運搬移動するための手押し台車に関するものである。
【背景技術】
【０００２】
従来より、積荷を荷台に載置した状態で、該荷台下面に備えられた車輪（キャスター）により運搬移動するための台車が存在する。かかる台車のなかでも、手で押しながら移動するものは、一般に手押し台車と呼ばれ、略矩形状の荷台と、該荷台の一辺に備えられ上方へ略直立に起立された手押し用のハンドルと、該荷台の下面四隅に備えられるキャスターとで構成されているものが多数を占め、なかには手押し用のハンドルが備わっていないものも存在する。
【０００３】
上記の様な手押し台車は、比較的重量物を現場に運搬移動する際に便利で、特に工事現場などにおいて好適に使用されている。しかしながら、荷台に載置された積荷を運搬先に移動し、その後に該積荷を下してしまえば、手押し台車の役目が終了する。すなわち、従来の手押し台車は、積荷を運搬移動することのみを役目とするものであって、役目を終えた後は、何ら機能を有するものではなかった。しかも、そのような役目を終えた台車は、移動先でただ放置されることとなって、場所によってはスペース的に邪魔な場合があり、かといって元の位置に戻すのは、余計な手間となってしまう。そこで、手押し台車に運搬以外の他の機能が備わることによって、運搬移動を終えた台車が移動先で邪魔にならず、他の用途に活用し得る、その様な手押し台車が望まれるところである。
【０００４】
ところで、従来、コンパクト化が簡単でその運搬が容易になるとともに、標識と兼用してコストの低減等が可能となる「伸縮式コーン」（特許文献１）が提案され、公知技術となっている。かかる「伸縮式コーン」の提案によれば、道路工事用コーンと道路標識等を兼用させることで、一物品で二つの機能を果たし得るものである。
【０００５】
しかしながら、かかる「伸縮式コーン」の提案は、そもそも道路工事用コーンの提案であって、手押し台車に関するものではなく、しかもコーンと標識とが現場にて夫々機能を果たし得るものであって、役目を終え本来的機能を果たし得ない手押し台車に有益な他の機能を付与する様な提案ではない。
【０００６】
また、道路工事に使用する道路工事標示脚の設置や収納時における移動を容易とし労力の軽減をはかる「道路工事標示脚」（特許文献２）が提案され、公知技術となっている。かかる「道路工事標示脚」の提案によれば、台車に一乃至複数の標識を立設した状態で、一方端を持ち上げることでキャスターにより容易に移動可能となるものである。  
【０００７】
しかしながら、かかる「道路工事標示脚」の提案は、単に標識の運搬移動に特化した台車の提案であって、標識以外のものを運搬することを目的とせず、且つ、標識以外のものの運搬は不可能であることから、上記同様、役目を終え本来的機能を果たし得ない手押し台車に有益な他の機能を付与する様な提案ではなかった。
【０００８】
さらに、工事現場に設置する標識掲示用台車が、強風時においても風力で動かないようにする「各種工事の標識掲示用台車」（特許文献３）が提案され、公知技術となっている。かかる「各種工事の標識掲示用台車」の提案によれば、道路工事現場や建設工事現場等で標識掲示用台車を設置する際に、台車の車輪を台車枠上へ回動して、台車枠を直接地上に据え置くことができるため、強風を受けて風力で移動することがなく、安全であると共に衝突による台車の損傷を防ぐものである。  
【０００９】
しかしながら、かかる「各種工事の標識掲示用台車」の提案は、台車上に標識が固定的に備え付けられていることから、標識専用の固定台車であって、上記同様、役目を終え本来的機能を果たし得ない手押し台車に有益な他の機能を付与する様な提案ではなかった。
【００１０】
本出願人は、積荷を運搬移動する手押し台車に着目し、積荷を運搬移動し終えた手押し台車について、ただ無駄に放置するのではなく他の用途に活用できないものかという着想の下、標示手段が備わることで標記体を標示可能な手押し台車を開発し、本発明にかかる「標示機能付き手押し台車」の提案に至るものである。
【先行技術文献】
【特許文献】
【００１１】
【特許文献１】実開平６−８５４１５号公報
【特許文献２】登録実用新案第３０８８４２６号公報
【特許文献２】登録実用新案第３００６６６３号公報
【発明の概要】
【発明が解決しようとする課題】
【００１２】
本発明は、上記背景技術ならびに問題点に鑑み、標示手段が備わることで標記体を標示可能な手押し台車を提供することを課題とする。
【課題を解決するための手段】
【００１３】
上記課題を解決するため、本発明は、積荷を載置して手動で移動するための手押し式の台車であって、略矩形状の荷台と、該荷台の一辺に備えられ上方へ略直立に起立されたハンドルと、少なくとも該荷台の下面四隅に備えられるキャスターと、から成り、該荷台の下面に、標記体を標示するための標示手段が備えられて成る手段を採る。
【００１４】
また、本発明は、前記標記体が、任意の文字や図形、絵像、標識の何れか若しくはこれらの組み合せから成る手段を採る。
【００１５】
さらに、本発明は、前記標示手段が、前記標記体の描かれた板状体から成り、前記荷台の下面に固着手段により固定的に備えられて成る手段を採る。
【００１６】
またさらに、本発明は、前記標示手段が、前記標記体の描かれた板状体から成り、前記荷台の下面に備えられた係止手段を介して交換可能に備えられて成る手段を採り得る。
【００１７】
さらにまた、本発明は、前記標示手段が、前記標記体を標示可能な電光掲示板から成り、前記荷台の下面に固着手段により固定的に備えられると共に、該電光掲示板に電源を供給するための電源供給手段が備えられて成る手段を採り得る。
【００１８】
そしてまた、本発明は、前記電光掲示板が、モニター式電光掲示板である手段を採用することもできる。
【発明の効果】
【００１９】
本発明にかかる標示機能付き手押し台車によれば、荷台に積荷が無い状態で手押し台車を横に傾倒すると、上方へ起立されたハンドルが荷台を支えるべく機能することで、標示手段を備えた荷台の下面が側方を向いた状態のまま維持され、それにより標示手段に標示された標記体が外界から視認可能な状態となるため、積荷の運搬移動という役目を終えた台車が、移動先では標識としての機能を果たし得る、といった従来にない優れた効果を奏する。
【００２０】
また、本発明にかかる標示機能付き手押し台車によれば、本来であれば運搬移動後にスペース的に邪魔なためにただ放置されるか元の位置に戻されるだけの手押し台車について、上記の通り移動先で活用し得る標識としての機能が備わるため、放置や戻すことなく移動先にて好適に活用することができ、作業性向上に資する、といった優れた効果を奏する。
【００２１】
さらに、本発明にかかる標示機能付き手押し台車によれば、上記の通り移動先で活用し得る標識としての機能が備わっていることから、必要に応じた各種標識を別途用意することが不要であり、運搬効率並びに作業効率の向上に資する、といった優れた効果を奏する。
【図面の簡単な説明】
【００２２】
【図１】本発明にかかる標示機能付き手押し台車の実施形態を示す説明図である。（実施例１）
【図２】本発明にかかる標示機能付き手押し台車の他の実施形態を示す説明図である。（実施例２）
【図３】本発明にかかる標示機能付き手押し台車の他の実施形態を示す説明図である。（実施例３）
【図４】本発明にかかる標示機能付き手押し台車の他の実施形態を示す説明図である。（実施例３）
【発明を実施するための形態】
【００２３】
本発明は、荷台２に積荷を載置して手動で移動するための手押し式の台車であって、該荷台の下面に、標記体Ｈを標示するための標示手段１０が備えられて成る手段を採用したこと、を最大の特徴とする。
以下、本発明にかかる標示機能付き手押し台車１の実施形態を、図面に基づいて説明する。
【００２４】
尚、本発明にかかる標示機能付き手押し台車１は、以下に述べる実施例に限定されるものではなく、本発明の技術的思想の範囲内、すなわち同一の作用効果を発揮できる形状や寸法等の範囲内で適宜変更することができるもので、記載文言通りに狭義に解釈されるものではなく、同様の作用効果を発揮し得る範囲内で広義に解釈されるものである。
【実施例１】
【００２５】
先ず、本発明にかかる標示機能付き手押し台車１の実施形態について説明する。図1は、本発明にかかる標示機能付き手押し台車１の実施形態を示す説明図である。
本発明にかかる標示機能付き手押し台車１は、積荷を載置して手動で移動するための手押し式の台車であって、図１（ａ）に示す様に、荷台２とハンドル３とキャスター４とで構成されている。
【００２６】
荷台２は、その上面に積荷を載置するもので、材質や形状に限定はないが、例えば図示の様に略矩形状であって、材質はアルミニウム等の金属や強化プラスチック、木板等、あるいはこれらの組み合わせにより成形されている。
【００２７】
ハンドル３は、標示機能付き手押し台車１を動かす際に推進及び舵取りすべく手で握るためのものであって、前記荷台２の一辺において上方へ略直立に起立する様に備えられる。具体的には、例えば図示の様に、略逆Ｕ字形に成形された金属パイプの両端が荷台２の一辺における両端部に接続されることで備えられる。これにより略逆Ｕ字形を為すハンドル３の上辺を手で握って、推進及び舵取りを手動で行うことができる。
【００２８】
尚、荷台２とハンドル３との接続は、荷台２上にハンドル３を折り畳むことが可能な様に、回動可能に接続されていることが好ましく、その場合にハンドル３が略直立に起立した状態で固定され且つ折り畳む際に回動可能とすべく、接続箇所にはロック機構５が備わっている。
【００２９】
キャスター４は、標示機能付き手押し台車１を実際に移動させる車輪体であって、前記荷台２の下面における少なくとも四隅に備えられる。尚、移動の際の方向転換を容易にすべく、少なくとも前方側若しくは後方側の２輪のキャスター４について、略水平方向への回動が自在な様に荷台２に対し備えられることが望ましい。このとき、４輪全てのキャスター４について回動自在とする態様も可能である。尚、該キャスター４は、少なくとも四隅に備えられていれば足りるものであって、例えば荷台２の下面略中央に補助輪が備わるなど、より多くのキャスター４が備えられている態様であってもよい。
【００３０】
図１（ｂ）に示す様に、前記荷台２の下面には、標示手段１０が備えられる。該標示手段１０は、標記体Ｈを標示するためのものであって、例えばプラスチック板や金属板などの板状体１１から形成され、荷台２の下面に固着手段２０により固定的に備えられている。該固着手段２０の具体的構成については、特に限定はなく、例えばネジによる螺合手段や、ピン等の打付手段が考え得る。
【００３１】
前記標示手段１０に標示される標記体Ｈの内容については、特に限定するものではなく、あらゆる内容を標示することが可能であって、例えば任意の文字や矢印などの図形、絵像や交通標識、若しくはこれらの組み合せなどが考えられ、使用現場における必要な標示内容に合わせて適宜選択・決定される。
【００３２】
以上の通り構成される本発明にかかる標示機能付き手押し台車１について、その使用態様を説明する。図１（ｂ）に示す様に、荷台２に積荷が無い状態で標示機能付き手押し台車１を横に傾倒する。このとき、ハンドル３は略直立に起立させたままとする。それにより、上方へ起立されたハンドル３が接地面に接地し、荷台２を一定以上傾倒させない様に支えるべく機能して、こんどは荷台２が接地面に対し略直立に起立した状態となる。これにより標示手段１０を備えた荷台２の下面が側方を向いた状態のまま維持され、標示手段１０に標示された標記体Ｈが外界から視認可能な状態となり、看者に標記体Ｈの内容を視認させることとなる。
【００３３】
以上の通り、本発明にかかる標示機能付き手押し台車１によれば、積荷の運搬移動という役目を終えた台車が、移動先では標識としての機能を果たし得、運搬移動後にスペース的に邪魔なままただ放置されることなく、また、不必要により元の位置に戻されることもなく、必要に応じた各種標識を別途用意することが不要となって、運搬効率並びに作業効率を向上させる。
【実施例２】
【００３４】
次に、本発明にかかる標示機能付き手押し台車１の他の実施形態について説明する。尚、実施例１と同様の部分は説明を省略する。図２は、本発明にかかる標示機能付き手押し台車１の他の実施形態を示す説明図である。
前記実施例１において、標記体Ｈが標示された板状体１１から成る標示手段１０を、固着手段２０により荷台２の下面に固定的に備える態様について説明した。しかしながら、各現場ごとあるいは経時的に標示すべき標記体Ｈの内容が異なる場合が想定される。
【００３５】
そこで、本発明にかかる標示機能付き手押し台車１において、前記標示手段１０に標示される標記体Ｈの内容を適宜変更可能とする態様が考え得る。具体的には、荷台２の下面に係止手段２１を備え、該係止手段２１を介して標記体Ｈが描かれた板状体１１から成る標示手段１０を交換可能とする態様である。
【００３６】
係止手段２１について、その具体的な構造態様について特に限定はなく、例えば図示の様に板状体１１を嵌合可能な嵌め込み枠を設ける態様や、図示されていないがサイドから差引可能なスライド枠を設ける態様などが考え得る。
【００３７】
このように、標示手段１０を交換可能とした場合に、一の板状体１１に描かれる標記体Ｈの内容について、表面と裏面とで異なる二種の標記体Ｈを描く態様が考え得る。すなわち、標示手段１０が交換可能であることで、種々異なる標記体Ｈが描かれた板状体１１を複数枚準備することが考え得るが、一の板状体１１に表裏で異なる二種の標記体Ｈを描くことで、準備すべき板状体１１の枚数を減らすことができる
【００３８】
以上の通り、本発明にかかる標示機能付き手押し台車１によれば、板状体１１から成る標示手段１０を適宜交換可能な態様を採用することで、標記体Ｈの内容を必要に応じて適宜変更することが可能であって、各現場ごとあるいは経時的に標示すべき標記体Ｈの内容が異なる場合にも、瞬時且つ臨機応変に対応することが可能となる。
【実施例３】
【００３９】
次に、本発明にかかる標示機能付き手押し台車１の他の実施形態について説明する。尚、実施例１及び実施例２と同様の部分は説明を省略する。図３及び図４は、本発明にかかる標示機能付き手押し台車１の他の実施形態を示す説明図である。
前記実施例２において、標記体Ｈが描かれた板状体１１から成る標示手段１０を、荷台２の下面に備えられた係止手段２１を介して交換可能とする態様について説明した。しかしながら、標示すべき標記体Ｈの内容は多種多様に想定されるため、それら各標示内容が描かれた交換用の標示手段１０（板状体１１）について、複数用意する必要があった。
【００４０】
そこで、本発明にかかる標示機能付き手押し台車１において、前記標示手段１０を電光掲示板１２で構成する態様が考え得る。具体的には、標示手段１０として標記体Ｈを標示可能な電光掲示板１２を採用し、該電光掲示板１２を荷台２の下面に固着手段２０により固定的に備える態様である。該固着手段２０の具体的構成については、特に限定はなく、例えばネジによる螺合手段や、接着剤による接着手段などが考え得る。
【００４１】
電光掲示板１２とは、発光ダイオード（ＬＥＤ）や液晶、電球などを用いて情報を発信するための掲示板であって、発光体を格子状（マトリクス状）に配置してその明滅により文字や絵を表現する方式や、一部の発光体を省いて予め決められた文字のみを表示可能な方式、液晶やプラズマディスプレイ、ブラウン管などのモニターを転用する方式がある。本発明では、いずれの方式を採用しても構わない。
【００４２】
図３は、電光掲示板１２として電球方式あるいはＬＥＤ方式を採用した場合について示している。すなわち、電球若しくはＬＥＤを格子状（マトリクス状）に配置して成り、標示する標記体Ｈの内容に応じて電球若しくはＬＥＤを明滅させるものである。電球方式の場合、輝度が高く屋外使用に向いているが、多色化が難しく消費電力が大きいといった問題がある。ＬＥＤ方式の場合、高輝度の青色ＬＥＤや純緑色ＬＥＤの実用化によってフルカラー標示が可能であり、しかも動画も映し出すことが可能であるが、一定期間（概ね１０年）を経過すると急激な輝度の低下がみられるといった問題がある。したがって、本発明において電球方式かＬＥＤ方式のいずれを採用するかは任意であるが、フルカラー標示が可能なＬＥＤ方式が好ましい。
【００４３】
図４は、電光掲示板１２としてモニター式電光掲示板１３を採用した場合について示している。モニター式電光掲示板１３とは、液晶やプラズマディスプレイ、ブラウン管などのモニターを転用したものであって、電球やＬＥＤを用いたものよりも多くの情報、特に画像情報や動画などを標示することが可能となる。かかるモニター式電光掲示板１３を本発明で採用することで、静止画から成る標記体Ｈはもちろんのこと、フルカラーによる動画標示が容易であって、一連の動画から成る標記体Ｈの標示を可能にする。
【００４４】
尚、標示手段１０として電光掲示板１２を採用した場合に、該電光掲示板１２に電源を供給するための電源供給手段２２が備えられる。該電源供給手段２２の具体的構成態様については、特に限定はなく、図示の様な電源コード２３を繋ぐ態様やバッテリー２４を内蔵させる態様などが考え得る。また、図示されてはいないが、例えば荷台２の上面にバッテリー２４充電用として太陽光発電パネルを備える態様なども考え得る。
【００４５】
標示すべき標記体Ｈに関する情報は、例えばＣＤ−ＲＯＭやＤＶＤ−ＲＯＭ、ＨＤＤ、ＵＳＢメモリなどの記憶媒体に記憶されている。かかる記憶媒体に記憶された標記体Ｈに関する情報は、常法に従い、標示機能付き手押し台車１の所定箇所に配設された読取装置によって読み込まれ、電光掲示板１２あるいはモニター式電光掲示板１３へ送信される。そして、記憶媒体から情報を受けて、電光掲示板１２あるいはモニター式電光掲示板１３に該標記体Ｈが標示される。
【００４６】
このとき、標示する標記体Ｈの選択や変更の手段については、手動であると自動であるとを問うものではない。すなわち、必要な標記体Ｈをその都度手動で選択若しくは切り替える態様であったり、あるいは、時間指定により自動で標記体Ｈが切り替わる態様であったり、さらには、動画化された標記体ＨがＯＦＦ操作するまで繰り返し永遠と流れ続ける態様などが可能である。
【００４７】
以上の通り、本発明にかかる標示機能付き手押し台車１によれば、標示手段１０を電光掲示板１２あるいはモニター式電光掲示板１３で構成する態様を採用することで、標記体Ｈの内容を必要に応じて容易に変更することが可能であって、各現場ごとあるいは経時的に標示すべき標記体Ｈの内容が異なる場合にも、瞬時且つ臨機応変に対応することが可能であると共に、標記体Ｈが電気的に発光して標示されるため、夜間でも容易に視認可能であり、さらには、静止画的な標記体Ｈだけでなく動画から成る標記体Ｈを標示することも可能にする。
【産業上の利用可能性】
【００４８】
本発明にかかる標示機能付き手押し台車は、本来であれば運搬移動後にスペース的に邪魔なためにただ放置されるか元の位置に戻されるだけの手押し台車について、移動先で活用し得る標識としての機能が備わるため、放置や戻すことなく移動先にて好適に活用することができると共に、必要に応じた各種標識を別途用意することが不要となるものである。したがって、本発明にかかる「標示機能付き手押し台車」の産業上の利用可能性は極めて大であるものと思料する。
【符号の説明】
【００４９】
１    標示機能付き手押し台車。
２    荷台
３    ハンドル
４    キャスター
５    ロック機構
１０    標示手段
１１    板状体
１２    電光掲示板
１３    モニター式電光掲示板
２０    固着手段
２１    係止手段
２２    電源供給手段
２３    電源コード
２４    バッテリー
Ｈ    標記体
【図１】
2019147448.tif 000003
【図２】
2019147448.tif 000004
【図３】
2019147448.tif 000005
【図４】
2019147448.tif 000006